(57)【要約】【課題】屋外照明装置として充分な強度があり、光源であるＬＥＤ基盤からの発熱を高効率で放熱することができ、設置及び配線が容易であり、所望の場所に簡便に取り付けることができる防犯カメラ付き照明装置を提供する。【解決手段】蓋体となる開閉可能な透光性フード２を備えた軽金属ダイキャスト製のケース１内に、ＬＥＤ素子６からなる照明部３と、記録装置４ａを備えた監視カメラ４と、照明部３と監視カメラ４に電力を供給する電源ユニット５を取り付ける。照明部３を複数のＬＥＤ素子６配置した基板６と、基板６の近傍に設けられた反射板７とから構成し、ケース１をアルミニウム合金ダイキャスト製とし、監視カメラ４に車載用のドライブレコーダーを用いる。【選択図】図１
2016072203.tif 000002
【特許請求の範囲】
【請求項１】
蓋体となる開閉可能な透光性フードを備えた軽金属ダイキャスト製のケース内に、ＬＥＤ素子からなる照明部と、記録装置を備えた監視カメラ部と、前記照明部と監視カメラ部に電力を供給する電源ユニットを取り付けたことを特徴とする防犯カメラ付き照明装置。
【請求項２】
照明部が複数のＬＥＤ素子を配置した基板と該基板の近傍に設けられた反射板とからなることを特徴とする請求項１記載の防犯カメラ付き照明装置。
【請求項３】
ケースがアルミニウム合金ダイキャスト製であることを特徴とする請求項１又は請求項２記載の防犯カメラ付き照明装置。
【請求項４】
監視カメラが車載用のドライブレコーダーであることを特徴とする請求項１乃至請求項３のいずれかに記載の防犯カメラ付き照明装置。
【発明の詳細な説明】
【技術分野】
【０００１】  本発明は、防犯カメラを搭載した屋外照明装置に関するものである。
【背景技術】
【０００２】  従来から、住宅や店舗、事務所などの防犯対策用に防犯カメラが使用されている。近年では単に画像を撮影及び記録するのみならず、多様な機能を備える防犯カメラ装置が提供されている。例えば、昼夜を問わず良好な画像を取得することを目的として、特許文献１に示されるように、夜間の光源確保のために赤外光照明を行えるように構成されたものがある。また、特許文献２に記載のように、不審者の侵入を検知した際に、音声や照明によって侵入者に牽制及び警告を与えられるように構成されたものもある。【０００３】  他にも、制御ボックスを備えた支柱の上部に回転灯、広角カメラ、警報器、ＬＥＤ照明灯を配置し、支柱の上端部に太陽電池モジュールを設置して昼間に発電した電気を制御ボックス内に配置した蓄電池に充電し、蓄電池の電気によって各機器を作動させるようにした多機能防犯灯（特許文献３参照。）。ランプの収納カバー内にモニターカメラを内蔵した玄関灯（特許文献４参照。）。赤外光及び可視光に感度を有し、画像を撮像するカメラモジュールと、人間を検出する人感センサと、光強度を検出する光センサと、可視光源と、赤外線源と、それらを制御する制御手段を筺体中に一体に備えた防犯カメラ装置（特許文献５参照。）が提案されている。
【先行技術文献】
【特許文献】
【０００４】
【特許文献１】特開２００９−２３９７３９号公報
【特許文献２】特開２００６−２１６００５号公報
【特許文献３】実用新案登録第３１５１５２９号公報
【特許文献４】実開昭６１−９５１８１号公報
【特許文献５】特開２０１３−１０９４４０号公報
【特許文献６】特開２００９−１８７９３０号公報
【発明の概要】
【発明が解決しようとする課題】
【０００５】  しかしながら、防犯カメラ装置が多様な機能を備えれば備えるほど、それに必要なセンサや光源等の装置及び制御装置の数が増加する。このため、カメラ本体とは別にそれらの装置を設置し、それらの間に複雑な配線を行うことが必要とされる場合もある。また、従来の防犯カメラは、カメラ本体と記録装置を別途設置しなければならず、取り付け場所にも限りがあった。また、一般道路等に防犯カメラを設置する場合、設置場所と記録装置は通信のための回線を敷設する必要があり設置コストが嵩むという課題があった。【０００６】  一方で、従来、車道や舗道の路面や路壁を照明する照明器具には、高輝度ランプや蛍光ランプが光源として用いられてきた。しかし、これらの光源ランプは１００Ｗを超える消費電力を要し、ランプ寿命が短いという欠点があった。そこで、これら従来の光源に替って、ＬＥＤ素子を使用する街灯照明器具が種々提案されている。ＬＥＤ素子を使った照明器具は消費電力が少なく、長寿命である。【０００７】  しかしながら、ＬＥＤ素子は素子本体からの発熱や、周囲の温度上昇によって劣化するおそれがあり、適度の冷却が必要となる。そのため、照明装置の灯具本体を溶融点の異なる多種類の金属材料で段階的に鍛造して、高い放熱効果を持たせた照明装置が提案されている（特許文献６参照。）。しかし、特許文献６に提案されている技術は製造工程が複雑であり製品コストが嵩むという課題がある。【０００８】  本発明は、上記従来技術の課題に鑑み、屋外照明装置として充分な強度があり、光源であるＬＥＤ基盤からの発熱を高効率で放熱することができ、設置及び配線が容易であり、所望の場所に簡便に取り付けることができる防犯カメラ付き照明装置を提供することを目的とする。
【課題を解決するための手段】
【０００９】  このため、本発明の防犯カメラ付き照明装置は、蓋体となる開閉可能な透光性フードを備えた軽金属ダイキャスト製のケース内に、ＬＥＤ素子からなる照明部と、記録装置を備えた監視カメラと、前記照明部と監視カメラに電力を供給する電源ユニットを取り付けたことを第１の特徴とする。また、照明部が複数のＬＥＤ素子を配置した基板と該基板の近傍に設けられた反射板とからなることを第２の特徴とする。さらに、筺体がアルミニウム合金ダイキャスト製であることを第３の特徴とする。またさらに、監視カメラが車載用のドライブレコーダーであることを第４の特徴とする。【００１０】  本発明の防犯カメラ付き照明装置は、防犯・監視を必要とする例えば、一般家庭の家屋周辺、商業店舗、工場などの敷地内やその周辺、若しくは土木・建築工事の作業現場、他に駐車場（時間貸し駐車場、高速道路などのパーキングエリアを含む）や、路上、公園、庭園などの広域広場などへの設置ができ、防犯・監視対策に有益な屋外灯を兼ねた防犯カメラとして提供できる。
【発明の効果】
【００１１】  本発明によれば、以下の利点がある。
（１）商用電源に接続するだけで使用が可能になる。
（２）夜間は、防犯灯自体が被写体を照明する。
（３）犯罪が発生した場合、記録部に記録された画像データはメモリーカード等の外部メモリに保存され、必要に応じて簡単に取り外して閲覧することができる。
（４）外観を一見しても防犯カメラが内蔵されていることは分かり難い構成にされている。
（５）ケースは軽金属製ダイキャストで形成され、街灯用照明器具に必要な強度を維持しながら、光源であるＬＥＤ基板からの発熱を高い効率で放熱できる。
（６）監視カメラのカメラレンズ以外はケース体内に設けられ、このケースが耐候性・防水性などを有しているので、監視カメラを直射日光や雨水、結露等から保護することができ、屋外設置に適している。
【図面の簡単な説明】
【００１２】
【図１】本発明に係る防犯カメラ付き照明装置の一実施例を示す斜視図である。
【図２】本発明に係る防犯カメラ付き照明装置の一実施例を示す正面図である。
【図３】図２のＡ−Ａ線一部断面図である。
【図４】図２のＢ−Ｂ線一部断面図である。
【図５】本発明に係る防犯カメラ付き照明装置の構成を模式的に示すブロック図である。
【発明を実施するための形態】
【００１３】  以下、本発明の実施形態を図面に示す実施例に基づいて説明する。図１は本発明の実施形態に係る照明装置の一例を示す斜視図である。図１において、照明装置は、商用電力のみを電源とし、その設置場所は、防犯・監視などを必要とする例えば、住宅街の家屋周辺、商業店舗、工場などの敷地内やその周辺、若しくは土木・建築工事の作業現場、他に駐車場や路上、公園などの広場などが挙げられる。
【００１４】  図１乃至図３に示すように、照明装置は、ＬＥＤ照明部３、監視カメラ部４、電源ユニット５を、耐候性・防水性を有する軽金属ダイキャスト製の船型筐体状のケース１に内装し、このケース１を閉蓋する雨水避用の透光性フード２から概ね構成される。この透光性フード２は、ケース１の先端側に設けられた蝶番部８により開閉自在に取り付けられている。ケース１の基端側には、薄暮時や夜間に照明部３の自動点灯を行うためのｃｄｓ（フォトレジスタ）セルを内蔵した採光窓１２ａを有する照度センサー１２を介してケース１を支柱等（図示せず）に固定するための金属製のブラケット９が取り付けられている。すなわち、ケース１には、透光性フード２の一端が蝶番８によって片開き可能に取付けられ、他端がねじを使用して螺合される留め具１０によって開閉可能に構成される。ここで、留め具１０にはトルクねじなどの特殊なねじを使用し、通常の工具では開かない構造とし、カメラの盗難や悪戯防止策が講じるとなおよい。
【００１５】  ＬＥＤ照明部３は、Ａｌ合金ダイキャスト（例えばＪＩＳ記号ＡＤＣ１２）からなるケース１の内面側に熱接触して取付けられるＬＥＤ素子基板６と、ＬＥＤ基板６を四方から矩形に囲む反射板７とから構成され、商用電源から同じくケース１内に設けられた電源ユニット５を介してＬＥＤ基板６に電力供給されて発光する。
【００１６】  ＬＥＤ素子基板６は、熱伝導性に優れるアルミ製の基材表面に絶縁体を介して回路が形成され、ＬＥＤ素子が表面に実装されている。反射板７はアルミニウム製で、その表面に高純度のチタン及びシリコンをコーティングし反射率が９０％以上とされた鏡面板であり、ＬＥＤ基板６から照射される光を効率よく反射して透光性フード２を通して照射する。
【００１７】  このように、照明装置のケース１は、剛性を有するＡｌ合金ダイキャストで形成され、ＬＥＤ基板が熱接触して取付けられているため、街灯用照明器具に必要な強度を維持しながら、光源であるＬＥＤ基板からの発熱を高い効率で放熱できる。
【００１８】  図３及び図４に示すように、監視カメラ４は、取付ステー１５にプル付ボルト１６にて固定され、照明部３の基端部に配置され、照明光源の照射領域を少なくとも含むように撮影範囲が設定されてケース１内に格納されている。そして、透光性フード２は窓部として形成された開口２ａを有し、その開口２ａに監視カメラ４のカメラレンズを位置させて、樹脂製の窓リング１４及びガスケット（ウレタンブッシュ）１４ａを介して水密が図られると共に、撮影範囲に臨むように配設されている。尚、図中１３は結露水排出用の水抜き孔である。
【００１９】  ここで、電源装置５は、図５のブロック図に示すように、１００Ｖ商用電源から供給される交流電力を、４８Ｖの直流電流に変換するＬＥＤ電源５ａを介してＬＥＤ素子６に供給するとともに１２Ｖの直流電流に変換するカメラ電源５ｂを介して監視カメラ４に供給する。
【００２０】  監視カメラ４による撮影は、特定領域の撮影を間欠的に制御することも可能であり、所定時間の間隔をあけて一定時間の間、すなわち、所定時間の間隔ごとに、所定時間にわたって撮影される。例えば、静止画を毎秒１コマ程度撮影して１週間程度で閲覧する。このように、監視カメラ４による撮影を制御する制御条件を、予めカメラに内蔵されたアプリケーションソフトを含む制御部４ａに設定する。
【００２１】  監視カメラ４として、ドライブレコーダーを使用することにより、カメラとカメラ制御部及び画像記録部を一つの組立部品として取り扱うことができ、電気的な設定・調整作業が工場内で可能となる。監視カメラ４は、その撮影した画像データ（静止画や動画を含む）を利用するためにカメラ制御部（図示せず）を備えている。監視カメラ４は、ＣＣＤの出力を電気信号に変える汎用型のものが用いられ、このＣＣＤの出力は当該カメラ制御部に送られるものである。また、カメラ制御部４ａは監視カメラ４から送られてくる信号を所定のフォーマットの画像データに変換して、画像データを記憶可能で、かつ取り出し可能となしたメモリーカードなどの記録媒体１１に格納される。本実施例ではバイク用ドライブレコーダー（品番ＢＤＲ−Ｓ１：株式会社ユピテル製）を使用した。尚、監視カメラ４は、上記したようにプル付ボルト１６にて固定されており、スパナ等の器具を使用することなく、簡便に取付け取り外しができるようにされている。
【００２２】  以上、本発明の実施の形態を説明したが、上記実施例に限定されるものではなく、特許請求の範囲の趣旨を逸脱しない限りにおいて、種々の変更が可能である。
【符号の説明】
【００２３】１    ケース（船型筺体）
２    透光柱フード（蓋体）
２ａ  開口部
３    照明部
４    監視カメラ
４ａ  カメラ制御部（画像記録部）
５    電源ユニット
６    ＬＥＤ素子
７    反射板
８    蝶番
９    ブラケット
１０  留め具
１１  記録媒体（メモリーカード）
１２  照度センサー（ｃｄｓセル）
１２ａ採光窓
１３  水抜き孔
１４  窓リング
１４ａガスケット（ウレタンブッシュ）
１５  カメラ固定用ステー
１６  プル付きボルト
【図１】
2016072203.tif 000003
【図２】
2016072203.tif 000004
【図３】
2016072203.tif 000005
【図４】
2016072203.tif 000006
【図５】
2016072203.tif 000007